(57)【特許請求の範囲】
【請求項１】
粉粒体を順次包装するようにした分包装置であって、
粉粒体の粉塵が発生する部分に開口する複数の集塵ダクトが配置され、該複数の集塵ダクトのうちのいくつかの集塵ダクトの粉塵排出側に、吸引力の強い強吸引機が接続され、複数の集塵ダクトのうちのいくつかの集塵ダクトの粉塵排出側に、前記強吸引機に比べて吸引力の弱い弱吸引機が接続されており、該弱吸引機の粉塵排出側に該弱吸引機の駆動により吸引された粉塵を捕獲する集塵フィルタ装置が接続され、該集塵フィルタ装置の集塵空間側に、前記強吸引機に接続されているいくつかの集塵ダクトのうちの１つの集塵ダクトが接続可能に構成されていることを特徴とする分包装置。
【請求項２】
強吸引機に手持式の吸引ノズルが接続ホースを介して接続され、該吸引ノズルが集塵フィルタ装置の集塵空間側に着脱自在に接続されるよう構成されてなることを特徴とする請求項１記載の分包装置。
【請求項３】
強吸引機に接続されているいくつかの集塵ダクトと強吸引機との間の吸引経路に、前記いくつかの集塵ダクトのうち所定の集塵ダクトのみを強吸引機に接続するよう吸引経路を切替える切替バルブが設けられていることを特徴とする請求項１または請求項２記載の分包装置。
【請求項４】
回転テーブル上の環状凹溝に供給された粉粒体を該環状凹溝の径方向に向けて所定量ずつ切出すための切出部を備え、切出部によって切出した粉粒体を順次包装するように構成され、
環状凹溝の径方向内方側に、該環状凹溝とは別に設けられて該環状凹溝とともに回転する溝部材が設けられ、該溝部材に飛散した粉塵を吸引するための吸引経路が強吸引機に接続されていることを特徴とする請求項１ないし請求項３の何れかに記載の分包装置。
【請求項５】
強吸引機は真空掃除機であり、弱吸引機はファン式吸引機であることを特徴とする請求項１ないし請求項４の何れかに記載の分包装置。
【発明の詳細な説明】
【技術分野】
【０００１】
本発明は、薬剤等の粉粒体を分包するための分包装置に係り、より詳しくは、分包装置における粉粒体の回収機構に関する。
【背景技術】
【０００２】
一般に、この種の分包装置ではコンタミ防止等のために、装置内に浮遊したり装置内機器に付着したりしている粉粒体を回収するよう構成しており、このような分包装置として、下記特許文献１に示すものが提案されている。
この分包装置では、粉粒体が粉塵として発生する部分に開口する集塵ダクトと、集塵ダクトに接続された吸引源としてファン式吸引機を有し、浮遊する粉塵をファン式吸引機で吸引している。ファン式吸引機の排出側には、集塵フィルタ装置が接続されており、ファン式吸引機で吸引された粉塵は、集塵フィルタ装置のフィルタによって捕獲される。
【特許文献１】特開２００６−１１７２９３号公報
【発明の開示】
【発明が解決しようとする課題】
【０００３】
上記従来の分包装置では、集塵フィルタ装置のフィルタに粉塵が付着するからこれを定期的に清掃・除去する必要があり、それにはフィルタを集塵フィルタ装置から取出し、その上でフィルタに付着した粉塵を除去しなければならないという煩わしさがある。
【０００４】
そこで本発明は、上記課題に鑑み、集塵フィルタ装置からフィルタを取出すことなくフィルタから粉塵を取除し得る分包装置の提供を目的とする。
【課題を解決するための手段】
【０００５】
本発明は、粉粒体を順次包装するようにした分包装置であって、粉粒体の粉塵が発生する部分に開口する複数の集塵ダクトが配置され、該複数の集塵ダクトのうちのいくつかの集塵ダクトの粉塵排出側に、吸引力の強い強吸引機が接続され、複数の集塵ダクトのうちのいくつかの集塵ダクトの粉塵排出側に、前記強吸引機に比べて吸引力の弱い弱吸引機が接続されており、該弱吸引機の粉塵排出側に該弱吸引機の駆動により吸引された粉塵を捕獲する集塵フィルタ装置が接続され、該集塵フィルタ装置の集塵空間側に、前記強吸引機に接続されているいくつかの集塵ダクトのうちの１つの集塵ダクトが接続可能に構成されていることを特徴としている。
【０００６】
一般に、この種の分包装置では、異なる吸引力を有する強吸引機と弱吸引機とを有してこれらの使い分けをしている。分包装置が分包動作を行っている際に強吸引機を使用すると、その吸引力によって必要な粉粒体が粉塵として吸引されてしまう可能性があることを考慮して、分包動作中には、主として弱吸引機による吸引によって飛散する粉粒体を粉塵として吸引経路に吸引するようにするのが好適である。
【０００７】
上記構成において、集塵フィルタ装置は弱吸引機に接続されており、分包動作により飛散した粉粒体を粉塵として吸引経路を介して吸引する。このようにすると、集塵フィルタ装置のフィルタに粉塵が付着する。そこで、強吸引機に接続されているいくつかの集塵ダクトのうちの１つの集塵ダクトを集塵フィルタ装置の集塵空間側に接続するようにして強吸引機によって吸引することによって、集塵フィルタ装置からフィルタを取外すことなくフィルタに付着した粉塵を除去することが可能になる。
【０００８】
本発明は、強吸引機に手持式の吸引ノズルが接続ホースを介して接続され、該吸引ノズルが集塵フィルタ装置の集塵空間側に着脱自在に接続されるよう構成されてなることを特徴としている。
【０００９】
上記構成において、接続ホースを介して強吸引機に接続されている吸引ノズルによって分包装置の任意の箇所にある粉粒体を吸引するよう操作することで、分包装置に付着した粉粒体を吸引・除去するようにし、吸引ノズルを集塵フィルタ装置に接続することで、強吸引機によるフィルタに付着した粉塵が除去される。
【００１０】
本発明の分包装置では、強吸引機に接続されているいくつかの集塵ダクトと強吸引機との間の吸引経路に、前記いくつかの集塵ダクトのうち所定の集塵ダクトのみを強吸引機に接続するよう吸引経路を切替える切替バルブが設けられていることを特徴としている。
【００１１】
上記構成において、切替バルブの切替操作により、必要な集塵ダクトが選択されて該集塵ダクト内が強吸引機により吸引されて粉塵が除去される。
【００１２】
本発明の分包装置では、回転テーブル上の環状凹溝に供給された粉粒体を該環状凹溝の径方向に向けて所定量ずつ切出すための切出部を備え、切出部によって切出した粉粒体を順次包装するように構成され、環状凹溝の径方向内方側に、該環状凹溝とは別に設けられて該環状凹溝とともに回転する溝部材が設けられ、該溝部材に飛散した粉塵を吸引するための吸引経路が強吸引機に接続されていることを特徴としている。
【００１３】
上記構成において、環状凹溝が回転することで溝部材がともに回転し、分包動作により溝部材に飛散した粉塵は、溝部材が回転することで該溝部材の周方向全域に亘って、強吸引機の吸引力により吸引経路から除去される。
【００１４】
本発明の分包装置では、強吸引機は真空掃除機であり、弱吸引機はファン式吸引機であることを特徴としている。
この構成によれば、真空掃除機により吸引経路内に高速の気流を発生させて粉塵を集塵ダクトから吸引して除去し、ファン式吸引機により吸引経路内に緩やかな気流を発生させて粉塵を集塵ダクトから吸引して粉塵を除去する。
この場合、真空掃除機は電気式真空掃除機であり、タービン羽根をモータで高速回転させて内部の気圧を低くし、外気（吸引経路）との気圧差を利用して空気を高速で内部に流入させるもので、粉塵は内部でろ過される。ファン式吸引機はモータのモータ軸に連結されたファンの回転により吸引経路内を負圧にして吸引経路内に緩やかな気流を発生させて吸引経路内に粉塵を流入させるものである。
【発明の効果】
【００１５】
本発明の分包装置によれば、強吸引機に接続されているいくつかの集塵ダクトのうちの１つの集塵ダクトを集塵フィルタ装置の集塵空間側に接続可能に構成しているから、強吸引機の吸引によって、集塵フィルタ装置からフィルタを取外すことなくフィルタに付着した粉塵を除去することができて、フィルタに付着した粉塵の除去のための手間を省くことができる。また、粉塵が付着したフィルタを手指で把持しなくてよいから、衛生的に粉塵の除去ができる。
【発明を実施するための最良の形態】
【００１６】
以下、本発明に係る分包装置を、粉粒体として散薬を扱う散薬分包装置を例として、図面に基づいて説明する。図１は本発明の実施形態を示す分包装置の一部を抽出した概略平面構成図、図２はその正面図、図３は切出部の側方に配置したホッパーを主とした上方からの斜視図、図４はホッパーおよびシール装置を主とした正面図、図５はホッパーの単体正面断面図である。
【００１７】
図１ないし図５に示すように、本発明の実施形態に係る分包装置１は、回転テーブル２と一体に縦軸３回りに回転する回転板４と、回転板４の環状凹溝５に散薬６を供給するフィーダ７と、環状凹溝５に供給された散薬６を所定量ずつ回転テーブル２の径方向外方に切出すための切出部８と、切出部８によって切出された散薬６を受取るホッパー９と、ホッパー９から落下供給された散薬６を受容れる分包紙Ｂを一包毎に分包（ヒートシール）するためのシール装置１０と、分包動作によって発生する粉塵としての散薬６を清掃・除去するための集塵部とを備える。
【００１８】
図６は分包装置の背板を取外した状態の後方からの斜視図、図７は集塵経路を線形的に示した説明図である。
図６および図７に示すように、集塵部として、後述する複数箇所に設けた集塵ダクトと、集塵ダクトのうちの所定の集塵ダクトに接続された集塵フィルタ装置１１と、残りの集塵ダクトに接続された切替弁装置１２（四方切替弁装置）とを有し、所定の集塵ダクトはファン吸引経路１３を介してファン吸引経路１３上に配置された前記集塵フィルタ装置１１に連通接続され、残りの集塵ダクトと切替弁装置１２とが掃除機吸引経路１４で連通接続されている。
そして、ファン吸引経路１３のうちの少なくともひとつが、掃除機吸引経路１４に連通接続可能となるよう、着脱自在に構成されている。
【００１９】
図１ないし図５に戻り、回転板４は内径側の平板部１５と、平板部１５の外径側に一体的に形成されて下方に凸とされた断面円弧状の溝部１６とから構成されており、溝部１６の上面に前記環状凹溝５が形成されている。
【００２０】
回転板４の平板部１５の上面の内径寄り位置に、上方を開放した平面視して環状の溝部材１７が、回転板４と同心に取付けられている。溝部材１７は、環状の溝底板１８と、この溝底板１８の径方向内端辺部から上方に立上がる内径側板壁１９と、溝底板１８の径方向外端辺部から上方に立上がる外径側板壁２０とから形成されている。
溝部材１７は、例えばその溝底板１８を上方から不図示のビス等の取付手段によって平板部１５上面に固定されている。
回転板４の径方向内方には、切出部８等を駆動させるための駆動装置２５等が配置されている。この駆動装置２５は、切出部８の姿勢、後に詳述する第一清掃部２６のその姿勢、第二清掃部２７のその姿勢を連携させて切替える切替機構２８を備えている。
【００２１】
すなわち分包装置１は清掃機構を備えており、清掃機構は、切出部８に付着した散薬６による粉塵を清掃・除去するための前記第一清掃部２６と、環状凹溝５に残留した粉塵を清掃・除去するための前記第二清掃部２７と、分包装置１の分包動作によって溝部材１７に飛散した粉塵を清掃・除去するための第三清掃部２９と、ホッパー９部分における粉塵を清掃・除去するための第四清掃部３０と、フィーダ７の周辺の粉塵を清掃・除去するよう設けられた第五清掃部３１と、これら第一清掃部２６ないし第四清掃部３０で清掃・除去する領域以外の領域に付着した粉塵を清掃・除去するための第六清掃部３２とを備える。
【００２２】
第一清掃部２６には第一集塵ダクト３３が、第二清掃部２７には第二集塵ダクト３４が、第三清掃部２９には第三集塵ダクト３５が、第四清掃部３０には第四集塵ダクト３６が、第五清掃部３１には第五集塵ダクト３７が、第六清掃部３２には第六集塵ダクト３８が、それぞれ別個に設けられている。
【００２３】
これら集塵ダクトについては後述するが、図７に示すように、集塵ダクトのうち、第四集塵ダクト３６の一部および第五集塵ダクト３７がそれぞれファン吸引経路１３に連通接続され、集塵ダクトのうち、第一集塵ダクト３３ないし第三集塵ダクト３５および第四集塵ダクト３６の一部、さらに第六集塵ダクト３８がそれぞれ掃除機吸引経路１４に連通接続されている。そして、第六集塵ダクト３８は掃除機吸引経路１４に接続された状態を保持しつつ、ファン吸引経路１３、具体的には集塵フィルタ装置１１に着脱自在に連通接続することが可能な構成となっている。
【００２４】
図８および図９は切替弁装置の詳細図で、図８は切替弁装置の全体斜視図、図９は切替弁装置の分解斜視図である。切替弁装置１２は、分包装置本体３９内の背側に配置されており、分包装置本体３９に載置台４０を介して取付けられている。
図８および図９に示すように、切替弁装置１２は、載置台４０の上面に載置固定される筒状の切替弁装置本体４２を有する。切替弁装置本体４２の外周壁には、周方向で等間隔に四箇所の、円形の開口部４３が形成され、各開口部４３は同一高さ、且つ同一径に形成されている。
【００２５】
各開口部４３の径方向外方側に筒状の四個の掃除機経路継手４５，４６，４７，４８が接続されている。これら掃除機経路継手４５，４６，４７，４８は、それぞれ開口部４３から径方向外方に延長された水平部５５と、その端部から上方に向けて延長された鉛直部５６とから形成され、鉛直部５６は上方に向けて開口されている。
【００２６】
切替弁装置１２は弁体５７を有する。弁体５７は、上部を閉塞した有底の円筒状に形成されており、切替弁装置本体４２の内空部にその軸心（鉛直方向）回りに回動自在に嵌合されている。
載置台４０には切替弁装置本体４２の内空部に連通する不図示の連通穴が形成されている。弁体５７の外周壁には、開口部４３にその径方向内方で対向する円形の吸込口部５８が形成され、この吸込口部５８は弁体５７の内空部と連通する。
【００２７】
切替弁装置本体４２の上端部に、径方向外方に向けて延長される取付フランジ６０が一体的に形成され、弁体５７は取付フランジ６０に支持具６１を介して軸心回りに回動自在に設けられている。支持具６１の上部には弁体５７の姿勢、すなわち吸込口部５８の位置を選択的に切替えるための切替モータ６２が取付けられている。
【００２８】
載置台４０の下面には、中心に前記連通穴に連通する中空穴６３を形成した継手６４が配置され、継手６４はそのフランジ１１０が載置台４０の下面に固定されている。
【００２９】
図６に示すように、切替弁装置１２の側方の下方に強吸引機としての真空掃除機６５が、分包装置本体３９に設けた水平隔壁６６、鉛直隔壁６７、および分包装置本体３９の底壁３９ａ等によって区画された領域に設置されている。継手６４と真空掃除機６５とは接続ホースＨ１によって連通接続されており、接続ホースＨ１は鉛直隔壁６７を挿通している。
【００３０】
図１０および図１１は、集塵フィルタ装置１１およびその周辺の構造を示し、図１０は集塵フィルタ装置１１およびケースの斜視図、図１１は集塵フィルタ装置の構造図である。なお、図１１（ａ）は集塵フィルタ装置１１の平面図、（ｂ）は正面図、（ｃ）は底面図、（ｄ）は（ｂ）の中心線で切断した側面断面図である。
【００３１】
集塵フィルタ装置１１は、第四集塵ダクト３６および第五集塵ダクト３７からファン吸引経路１３を通って至った粉塵を捕獲するためのものである。
図１０および図１１に示すように、集塵フィルタ装置１１は、蛇腹状の捕獲フィルタ８０と、捕獲フィルタ８０を装着する装着体８１とを有する。装着体８１と捕獲フィルタ８０とは、これらが一体的に分包装置本体３９に着脱自在に設けられている。この場合は、装着体８１は分包装置本体３９に固定されたケース８２に着脱自在に設けられており、このケース８２は、ファン吸引経路１３の途中に配置されている。
【００３２】
ケース８２はその前面が開放されて天壁８３、側壁８４、後壁８５、および底壁８６から箱状に形成されている。ケース８２の底壁８６には、装着体８１の着脱を案内するガイド部材１０１が設けられている。
このガイド部材１０１は板状であって所定の厚みを有し、装着体８１をケース８２に装着した際にケース８２の底壁８６から装着体８１をわずかに浮かせた状態で支持するよう構成されているものである。なお、ガイド部材１０１の前面は、装着体８１挿入し易くするために、後方へ向けて上傾斜した斜面に形成されている。
【００３３】
装着体８１には、ケース８２の前面開放部分を閉じる蓋部１０２が形成されており、蓋部１０２の背面に捕獲フィルタ８０を上方から装着する収納部１０３が一体的に形成されている。収納部１０３は両側壁８７と、後壁８８と、底壁８９とから上方開放型に形成されている。
【００３４】
蓋部１０２の上面には、ケース８２の前面開放部分の上部内面を弾性的に押圧して装着体８１のケース８２への装着状態を保持する弾性片１０４が蓋部１０２に一体的に形成されている。弾性片１０４には、装着体８１をケース８２に装着した際に、ケース８２の前面開放部分から前方に突出する操作片１０５が弾性片１０４に一体的に形成されている。
【００３５】
すなわち、装着体８１をケース８２の前面開放部分から後方へ押込むようにして装着すると、弾性片１０４がケース８２の前面開放部分の上部内面により押圧されて弾性片１０４がさらに折曲がるよう弾性変形し、その弾性力によって装着体８１がケース８２に確実に装着され、装着体８１の装着状態でケース８２の前面開放部分から前方へ突出している操作片１０５を下方に押圧することで弾性片１０４のケース８２の前面開放部分への押圧を解除して、装着体８１を手前に引くことで、装着体８１および捕獲フィルタ８０をケース８２から取外すことができる。
【００３６】
収納部１０３内面の上下方向途中部分には、捕獲フィルタ８０の外周部に設けたフレーム部材１０６を支持する段付面１０７が形成されている。装着体８１において、段付面１０７の下方にはファン吸引経路１３の一部を構成する集塵空間１０８が、両側壁８７、後壁８８、および底壁８９によって形成されている。
【００３７】
ケース８２の後壁８５の下部同一高さに、第四集塵ダクト３６の一部に上流側が連通接続されるファン経路継手１０９と、第四集塵ダクト３６の一部および第五集塵ダクト３７に上流側が接続されるファン経路継手１１１が、左右一対で取付けられている。
装着体８１の後壁８８の下部が開口部８８ａとされており、これによって装着体８１をケース８２に装着した状態においてファン経路継手１０９，１１１の下流側は、集塵空間１０８に連通接続される。
【００３８】
また、両ファン経路継手１０９，１１１は、それぞれフランジを介してケース８２の後壁８５にビス止めされ、両ファン経路継手１０９，１１１は、正面視してその軸心どうしがＶ字形をなすよう互いに鉛直面内で上方ほど離間した配置とされている（図６参照）。
【００３９】
ケース８２の天壁８３には、弱吸引機としてファン式吸引機１１３が設置されている。ファン式吸引機１１３は、ケース８２内に装着体８１を装着した状態でケース８２内を負圧にするものである。このファン式吸引機１１３は、内空断面とした吸引機本体１００と、ファン１１４（シロッコファンが用いられる）と、ファン１１４を回転させるファンモータ１１５とから構成されている。
【００４０】
吸引機本体１００は天壁８３にネジ止めされており、天壁８３の略中心部に対向するよう配置されたファン内装部１１６と、このファン内装部１１６の後方へ延長される排気ダクト部１１７とから一体に形成されている。ファン内装部１１６はケース８２（集塵空間）に連通接続され、排気ダクト部１１７は後方へ向けて開口されている。
【００４１】
図２に示すように、前記切出部８は、環状凹溝５の溝底面５ａに接触する切出姿勢と溝底面５ａから離間した離間姿勢とに切替え自在に構成されている。切出部８は、仕切板１１８（堰止板ともいう）と、切出板９８と、カバー体１１９とを有する。これら仕切板１１８、切出板９８、およびカバー体１１９はそれぞれ別体に設けられており、回転板４の回転方向上流側から、カバー体１１９、切出板９８、仕切板１１８の順に接触して並設するよう配置されている。
なお、カバー体１１９は正面視して略楕円形に形成されている。
【００４２】
仕切板１１８は、正面視して環状に形成された仕切板本体１２０と、この仕切板本体１２０の外周辺部に径方向外方に突出するよう仕切板本体１２０に一体形成された環状の堰止体１２１（シリコンゴム等の合成樹脂から形成されている）とを有し、その径方向外方端部が溝底面５ａに接触可能とされている。
【００４３】
切出板９８は、仕切板１１８で堰き止められた散薬６を環状凹溝５の溝底面５ａから掻取るように切出し、回転テーブル２の側方（径方向外方）に配置されている前記ホッパー９に、その上部開口部９Ｂから投入するためのものである。ホッパー９の下端部は下方に向けて開放された投入口９ａとされ、この投入口９ａを開閉する開閉弁部材９ｂが側壁９ｃに、開閉操作機構９Ａを介してホッパー９の投入口９ａを開閉可能に設けられている。
【００４４】
切出部８において、散薬６を回転テーブル２の径方向外方に切出す際には、環状凹溝５に供給された散薬６は、仕切板１１８とカバー体１１９とで切出範囲を規制された状態で、切出板９８の回転によって切出される。このとき切出板９８に設けられている弾性ブレードの先端部が環状凹溝５の溝底面５ａに摺動することで、散薬６が掬われるようにしてホッパー９へ切出される。
【００４５】
前記第一清掃部２６は、切出部８に接触する清掃姿勢と切出部８から離間する非清掃姿勢とに切替え自在に構成されている。第一清掃部２６は、吹付ノズル１２２と、箱状の前記第一集塵ダクト３３と、第一集塵ダクト３３に設けられたブラシ部１２３と、第一集塵ダクト３３の底壁９０に接続された接続ホースＨ２と、切替弁装置１２と、真空掃除機６５とを有する。
【００４６】
吹付ノズル１２２は不図示の吹付ポンプに接続され、吹付ノズル１２２の先端は、切出部８に向けて清掃用空気を吐出できるように向いている。
接続ホースＨ２はその先端部が前記底壁９０に接続されて、その吸引口１２４が第一集塵ダクト３３内に開口している。接続ホースＨ２の基端部は、切替弁装置１２（四方切替弁装置が用いられている）の掃除機経路継手４５，４６，４７，４８のうちのひとつ（例えば、掃除機経路継手４５）に接続されている。
【００４７】
図１２は前記第二清掃部２７の構成を示す拡大平面断面図である。第二清掃部２７は、切出部８によって切出された後に環状凹溝５の溝底面５ａに残った散薬６（粉塵）を除去するためのものである。
図１２に示すように、第二清掃部２７は、ブラシ体１２５およびブラシ体１２５とは別体の回転布体１２６とを有する。ブラシ体１２５および回転布体１２６は、その外周部が溝底面５ａに接触可能な清掃姿勢と、溝底面５ａから離間した非清掃姿勢とに切替自在に構成されている。この姿勢切替機構は、第一清掃部２６の姿勢切替機構を兼用しており、環状凹溝５に対して回転テーブル２の径方向内方に配置されている。
【００４８】
ブラシ体１２５および回転布体１２６は、回転中心軸１２７上で環状凹溝５の周方向にほぼ沿う方向（前後方向）に隣接するよう設けられて、回転中心軸１２７の、ブラシ体１２５の回転中心体１２８から突出した部分にエンドキャップ１２９が着脱自在に取付けられて、このエンドキャップ１２９によりブラシ体１２５および回転布体１２６が回転中心軸１２７から離脱するのを防止されている。ブラシ体１２５および回転布体１２６は、それぞれ環状凹溝５の曲率中心を中心として、回転中心軸１２７回りに回転自在に設けられている。
なお、回転中心軸１２７は、回転駆動モータ１３０のモータ軸として構成されている。
【００４９】
回転布体１２６およびブラシ体１２５は、回転板４の溝部１６に相当する領域を開放した被覆体１３１によって覆われている。被覆体１３１は、背板１３２と前カバー１３３とから構成されている。背板１３２はブラシ体１２５に比べて大径の円板部１３４と円板部１３４の下部で回転板４の径方向外方側に向けて突出した突出板部１３５とを一体に形成されてなる。
【００５０】
突出板部１３５の背面にはさらに後方へ突出する継手管部（導入路）が延長して形成されており、この継手管部が第二集塵ダクト３４として構成されている。第二集塵ダクト３４には散薬６の導入管として接続ホースＨ３の先端部が接続されており、接続ホースＨ３の基端部は切替弁装置１２の掃除機経路継手４５，４６，４７，４８のうちのひとつ（例えば、掃除機経路継手４６）に接続されている。
接続ホースＨ３の途中部分には、合流管継手１３６が接続され、また、第二清掃部２７は、切替弁装置１２と、真空掃除機６５とを備える。
【００５１】
前記第三清掃部２９は、第三集塵ダクト３５として、先端部が溝部材１７の溝内に挿入される管部を有して、基端部が切替弁装置１２の掃除機経路継手４５，４６，４７，４８のうちのひとつ（例えば、掃除機経路継手４６）に接続された接続ホースＨ４とを備えている。
また、接続ホースＨ４の途中部分を分包装置本体３９の所定箇所に支持するための不図示の支持手段と、接続ホースＨ４の途中に接続された前記合流管継手１３６と、切替弁装置１２と、真空掃除機６５とを備える。
【００５２】
合流管継手１３６は、第二集塵ダクト３４と第三集塵ダクト３５からの粉塵を合流させて、その下流側で共通の一本の接続ホースＨ３，Ｈ４による吸引経路として切替弁装置１２の掃除機経路継手４５，４６，４７，４８のうちのひとつ（例えば、掃除機経路継手４６）に接続することが可能に構成されている。
すなわち合流管継手１３６は、一端部が第二集塵ダクト３４からの接続口部１３７とされ、他端部が切替弁装置１２への導出口部１３９とされ、接続口部１３７と導出口部１３９との間に、第三集塵ダクト３５からの接続口部１３８が設けられている。
【００５３】
図３および図４に示すように、前記第四清掃部３０は、ホッパー９の上端部後側に配置した上下二段の後第四集塵ダクト１４０，１４１と、ホッパーの上端部前側に配置した前第四集塵ダクト１４２と、先端部が後第四集塵ダクト１４０，１４１の一方（たとえば、後第四集塵ダクト１４０）と連通接続され基端部がファン経路継手１０９，１１１の一方（例えば、ファン経路継手１１１）と接続された図示しない接続ホースと、集塵フィルタ装置１１と、ファン式吸引機１１３とを備える。
【００５４】
また、第四清掃部３０は、先端部が後第四集塵ダクト１４０，１４１の他方（例えば、後第四集塵ダクト１４１）と連通接続され、基端部が切替弁装置１２の掃除機経路継手４７に接続された接続ホースＨ５と、切替弁装置１２、真空掃除機６５とを備えている。
なお、図３および図４において符号５１は吹付ノズルであり、これは、円弧状の軌跡上を移動自在に構成されて、ホッパー９内に入って先端部からホッパー９の内面に清掃用空気を吹付けて、これに付着した粉塵を除去するためのものである。
【００５５】
第五清掃部３１は、フィーダ７の下方に配置された第五集塵ダクト３７と、先端部が第五集塵ダクト３７に連通され基端部がファン経路継手１０９の他方と接続された図示しない接続ホースと、集塵フィルタ装置１１と、ファン式吸引機１１３とを備える。
【００５６】
前記第六清掃部３２は、切替弁装置１２と、真空掃除機６５と、基端部が切替弁装置１２の掃除機経路継手４５，４６，４７，４８のうちのひとつ（例えば、掃除機経路継手４８）に接続されたフレキシブルな接続ホースＨ６と、接続ホースＨ６の先端部に着脱自在に取付けられた手持操作可能な吸引ノズル１４３とを備える（図１３参照）。この場合、吸引ノズル１４３が第六集塵ダクト３８に相当する。
接続ホースＨ６は、掃除機経路継手４８から分包装置本体３９の側板１４４に形成された挿通穴５０を通過させることができるよう構成されている。そして、吸引ノズル１４３が分包装置本体３９の側板１４４に係止手段を介して着脱自在に取付けられるよう構成されている。
【００５７】
吸引ノズル１４３は、ノズル本体１４５が円筒状に形成され、その吸込口部５９の内周面５９ａが、吸込口端面１４７に向けて拡大するよう傾斜した傾斜面とされている。ノズル本体１４５の外径は軸線方向１４６に沿って同一径であり、その外径は、ファン経路継手１０９，１１１の内径にほぼ一致している。
吸込口端面１４７は、ノズル本体１４５の軸線方向１４６に対して傾斜した傾斜面とされている。すなわち、吸込口端面１４７は、その径方向断面において径方向一方側が鋭角に形成されており、径方向他方側が鈍角に形成されている。
【００５８】
吸込口部５９の奥側に、ノズル本体１４５とは別体の前記接続ホースＨ６の先端部Ｈ６ａを内嵌する円筒状の嵌合部１４８が形成されている。嵌合部１４８はその内面が接続ホースＨ６の先端部を内嵌した際に接続ホースＨ６の内面１４９と面一となるようその肉厚が、吸込口端面側に比べて薄肉に形成されている。
また、嵌合部１４８と接続ホースＨ６の先端部Ｈ６ａとの突合面１５０ａ，１５０ｂは、それぞれ径方向外方に向けて下傾斜する円錐面とされて、円錐面どうしが当接し合っている。
【００５９】
ここで、図７に戻りこの図に基づいて、粉塵の処理経路をまとめて説明する。粉塵の処理経路には、ファン式吸引機１１３による粉塵の処理経路と、真空掃除機６５による粉塵の処理経路とが設けられている。
ファン式吸引機１１３による粉塵の処理経路は、所定の集塵ダクト、すなわち第四集塵ダクト３６のうち前第四集塵ダクト１４２、第四集塵ダクト３６のうち後第四集塵ダクト１４０、および第五集塵ダクト３７の下流側にファン式吸引機１１３が接続されており、これら集塵ダクトとファン式吸引機１１３との間のファン吸引経路１３上に、集塵フィルタ装置１１が接続された構成となっている。
【００６０】
真空掃除機６５による粉塵の処理経路は、所定の集塵ダクト、すなわち第一集塵ダクト３３、第二集塵ダクト３４、第三集塵ダクト３５、第四集塵ダクト３６のうち後第四集塵ダクト１４１、および第六集塵ダクト３８の下流側に真空掃除機６５が接続された構成となっている。但し、これら集塵ダクトのうち、特定の集塵ダクト、すなわち第六集塵ダクト３８である吸引ノズル１４３は集塵フィルタ装置１１のファン経路継手１０９，１１１のうち一方（例えば、ファン経路継手１０９）に接続可能な構成となっている。
【００６１】
さらに具体的には、ノズル本体１４５の外径がファン経路継手１０９の内径にほぼ一致するよう設定されていることで、吸引ノズル１４３の先端部である吸込口部５９を、ファン経路継手１０９に差込んで集塵フィルタ装置１１を真空掃除機６５による粉塵の処理経路に連通接続させることができる。
【００６２】
上記構成の分包装置１では、フィーダ７によって回転板４の環状凹溝５に供給された散薬６は、切出部８の駆動によって回転テーブル２の径方向外方に所定量ずつ切出されてホッパー９に投入され、ホッパー９の下端部からその下側に供給されて来る分包紙Ｂに投入され、シール装置１０で一包毎に分包される。
【００６３】
この分包装置１において、分包動作中ではファン式吸引機１１３を駆動して、舞上がって粉塵をなる散薬６を、第四集塵ダクト３６（前第四集塵ダクト１４２）、第四集塵ダクト３６（後第四集塵ダクト１４０）、および第五集塵ダクト３７から吸引しており、粉塵はファン吸引経路１３を通り、集塵フィルタ装置１１の捕獲フィルタ８０にそのほとんどが捕獲されて、排気が排気ダクト部１１７から排出される。
【００６４】
特に、第四集塵ダクト３６（前第四集塵ダクト１４２）および第五集塵ダクト３７から吸引された粉塵は合流されてファン経路継手１０９から集塵フィルタ装置１１に導入され、第四集塵ダクト３６（後第四集塵ダクト１４０）から吸引された粉塵はファン経路継手１１１から集塵フィルタ装置１１に導入されて捕獲フィルタ８０によって捕獲される。
なお、ファン式吸引機１１３による吸引は分包動作中に行うことにより、その吸引力は空気中に舞上がるような粉塵のみを吸引できるように設定しておく必要がある。
【００６５】
分包動作が終了した後は、真空掃除機６５を駆動することで、掃除機吸引経路１４を用いて散薬６（粉塵）を清掃・除去する。具体的に説明すると、第一清掃部２６では、切出部８に吹付ノズル１２２から清掃用空気を吹付けることで切出部８に付着した散薬６を除去して粉塵とし、第一集塵ダクト３３から吸引する。第二清掃部２７では、ブラシ体１２５を回転させて環状凹溝５に付着した散薬６を粉塵として第二集塵ダクト３４から吸引する。
【００６６】
第三清掃部２９では、溝部材１７に付着した散薬６を第三集塵ダクト３５である接続ホースＨ４の先端部から吸引する。第四清掃部３０では、不図示のホッパー叩き手段で叩いて散薬６を落下させ、また清掃用空気をホッパー９内に吹付ける吹付ノズル（）から吹付けてホッパー９内に付着した散薬６を粉塵として第四集塵ダクト３６（後第四集塵ダクト１４１）から吸引する。第六清掃部３２では、上記以外で吸引しきれない領域にある散薬６を、第六集塵ダクト３８である吸引ノズル１４３を手動で動かして吸引することができる。
【００６７】
粉塵の吸引に用いられるこれら第一集塵ダクト３３、第二集塵ダクト３４、第三集塵ダクト３５、第四集塵ダクト３６（後第四集塵ダクト１４１）、第六集塵ダクト３８は、切替弁装置１２の弁体５７を、切替モータ６２を駆動することで軸心回りに回動させ、掃除機経路継手４５，４６，４７，４８にそれぞれ連通する開口部４３に弁体５７の吸込口部５８を対向させて、第一集塵ダクト３３、第二集塵ダクト３４、第三集塵ダクト３５、第四集塵ダクト３６（後第四集塵ダクト１４１）、第六集塵ダクト３８の何れかから択一的に粉塵を切替弁装置１２の下流側（継手６４の中空穴６３側）へ送り、さらに下流側にある真空掃除機６５で捕獲することができる。
【００６８】
特に、第二集塵ダクト３４および第三集塵ダクト３５から吸引された粉塵は合流管継手１３６によって合流されて、その下流側である切替弁装置１２に移動する。
なお、真空掃除機６による吸引力は、分包動作中に行わないから、ファン式吸引機１１３の吸引力に比べて強く設定しておく。
【００６９】
ところで、ファン吸引経路１３において、集塵フィルタ装置１１に導入されて捕獲フィルタ８０によって粉塵が捕獲され続けた後は、捕獲フィルタ８０から粉塵を除去・清掃することが必要になる。この場合、例えばファン経路継手１０９に着脱自在に取付けてある接続ホースを取外して、ファン経路継手１０９に吸引ノズル１４３の先端部である吸込口部５９を差込む。そして、必要に応じて切替弁装置１２の切替モータ６２を駆動し、弁体５７を回動させて弁体５７の吸込口部５８と掃除機経路継手４８の開口部４３とを対向させる。
【００７０】
そうすると、集塵フィルタ装置１１が掃除機吸引経路１４に連通接続されることになるから、真空掃除機６５を駆動することで、集塵フィルタ装置１１内部を真空掃除機６５で吸引することができるようになり、真空掃除機６５の強い吸引力により、ケース８２（集塵フィルタ装置１１）部分のファン吸引経路１３を掃除機吸引経路１４に変換して、しかもこの部分でのファン吸引経路１３の吸引の流れ方向を逆にすることができる。したがって、集塵フィルタ装置１１の捕獲フィルタ８０に付着した粉塵を確実に吸引して除去することができる。
【００７１】
よって、集塵フィルタ装置１１をケース８２から取外す手間を要することなく、ケース８２内の粉塵を除去することができるから、集塵フィルタ装置１１の清掃を容易に行うことができるようになり、しかも作業者が集塵フィルタ装置１１の捕獲フィルタ８０を手指で触ることなく粉塵を除去することができるから、清掃作業を衛生的に行うことができる。
【００７２】
しかしながら、ケース８２内を真空掃除機６５で吸引したとしても粉塵を除去しきれなくなる場合が考えられ、この場合はケース８２から集塵フィルタ装置１１を取外しておこなうが、前述したように、操作片１０５を下方に押圧することで弾性片１０４のケース８２の前面開放部分への押圧を解除して、装着体８１を手前に引くことで、装着体８１および捕獲フィルタ８０をケース８２から取外すことができ、しかもこの場合でも、作業者が直接的に捕獲フィルタ８０に手指で把持する必要がないから、衛生的に作業を行うことができる。
【００７３】
ところで、吸引ノズル１４３は、ノズル本体１４５の吸込口部５９の内周面５９ａが、吸込口端面１４７に向けて拡大するよう傾斜した傾斜面とされている。また、吸込口部５９の奥側の嵌合部１４８では、接続ホースＨ６の先端部の内面１４９と面一となってこれと段差がない。したがって、真空掃除機６５の強い吸引力によって空気がノズル本体１４５の吸込口部５９から吸引された場合に、吸込口部５９からノズル本体１４５内に向けて吸引される空気の流れにおける急激な方向の変化を抑制することができるから、その分だけ空気の吸引に伴う騒音の発生を抑制することができる。さらに、嵌合部１４８では、接続ホースＨ６の先端部の内面１４９と面一となっているから、この部分においても吸引した空気が吸引方向で衝突する部分がないから、騒音の発生を抑制することができる。
【００７４】
また、ノズル本体１４５の吸込口端面１４７は、ノズル本体１４５の軸線方向１４６に対して傾斜した傾斜面とされ、吸込口端面１４７は、その径方向断面において径方向一方側が鋭角に形成されているから、分包装置１における機械装置の隅部にも先端部を当てることができて、機械装置の隅部の粉塵を吸引することができる。
【００７５】
上記実施形態では、ファン経路継手１０９またはファン経路継手１１１を用いるようにこれに吸引ノズル１４３の先端部である吸込口部５９を接続して集塵フィルタ装置１１を真空掃除機６５による粉塵の処理経路に連通し、捕獲フィルタ８０に付着した粉塵を清掃・除去するように構成した。
しかしながら、本発明の実施形態はこれに限定されるものではなく、吸引ノズル１４３を接続するための接続口部を、ファン経路継手１０９，１１１とは別に設けて、この接続口部に吸引ノズル１４３を接続するよう構成することもできる。
【００７６】
例えば、該接続口部は、図１０の仮想線で示すように、ケース８２の底壁８６の略中心部に設けた外接続口部１６０と、この外接続口部１６０に同心となるよう装着体８１の底壁８９に設けた内接続口部１６１（図１１参照）とから構成することができる。そしてこれら外接続口部１６０および内接続口部１６１の内径は、吸引ノズル１４３の外径にほぼ一致させている。
【００７７】
この構成において、集塵フィルタ装置１１内（捕獲フィルタ８０）の粉塵を清掃・除去する際には、集塵フィルタ装置１１をケース８２に装置したままの状態で、吸引ノズル１４３の先端部を外接続口部１６０から内接続口部１６１に亘るよう差込むようにすると、集塵空間１０８に吸引ノズル１４３が開口されることになり（ファン吸引経路１３の一部に掃除機吸引経路１４の一部が接続されて）、これによって集塵フィルタ装置１１内（捕獲フィルタ８０）の粉塵を清掃・除去することができる。
なお、このような外接続口部１６０から内接続口部１６１は、吸引ノズル１４３の先端部を接続しないときには、少なくとも外接続口部１６０には図示しない蓋部材を設けておいて、吸引ノズル１４３の先端部を接続するときのみに接続口部に接続可能に構成することが好ましい。
【００７８】
あるいは、図１４に示すように、ケース８２には特別な外接続口部を設けることなく、捕獲フィルタ８０を装着体８１ごとケース８２から取外し、吸引ノズル１４３の先端部を内接続口部１６１に接続して集塵フィルタ装置１１自体を直接的に掃除機吸引経路１４に接続するようにして、捕獲フィルタ８０に付着した粉塵を清掃・除去するようにすることも可能である。このようにしても、捕獲フィルタ８０を作業者がその手指で触れることなく捕獲フィルタ８０の清掃・除去を行うことが可能になり、衛生的である。
なお、図１４に示すようにして捕獲フィルタ８０に付着した粉塵を清掃・除去する際には、装着体８１の後壁８８の下部に設けた開口部８８ａには、蓋部材を装着するなどしてこれを閉じておき、真空掃除機６５の吸引力を集中的に捕獲フィルタ８０に働かせることが好ましい。
集塵フィルタ装置１１の清掃のタイミングは、予め設定したファン式吸引機１１３の駆動時間に依って行うことができ、この時間が経過したことを、発光体の点灯や音声による報知手段によって作業者に報知することができる。
【００７９】
あるいは、掃除機吸引経路１４と集塵フィルタ装置１１の上流側とを、接続管（吸引ノズル１４３とは別部材）によって予め接続しておき、集塵フィルタ装置１１を清掃する場合にのみ接続管を介して掃除機吸引経路１４と集塵フィルタ装置１１の上流側とを連通させるよう構成することも可能である。
【００８０】
このため、切替弁装置１２に前記接続管の基端部を接続する掃除機経路継手を別に設けてこれに接続管の基端部を接続し、接続管の先端部を集塵フィルタ装置１１の上流側に接続しておく。そして、集塵フィルタ装置１１の清掃時のみに真空掃除機６５と集塵フィルタ装置１１とが連通接続されるよう切替弁装置１２を掃除機経路継手側に切替えるようにする。
【図面の簡単な説明】
【００８１】
【図１】本発明の実施形態を示す分包装置の分包部分の概略構成を示す平面図
【図２】同じく分包部分の正面図
【図３】同じく切出部の側方に配置したホッパーを主とした上方からの斜視図
【図４】同じくホッパーおよびシール装置を主とした正面図
【図５】同じくホッパーの単体正面断面図
【図６】同じく分包装置の背板を取外した状態の後方からの斜視図
【図７】同じく集塵経路を線形的に示した説明図
【図８】同じく切替弁装置の全体斜視図
【図９】同じく切替弁装置の分解斜視図
【図１０】同じく集塵フィルタ装置およびケースの斜視図
【図１１】同じく集塵フィルタ装置の構造図で（ａ）は集塵フィルタ装置の平面図、（ｂ）は正面図、（ｃ）は底面図、（ｄ）は（ｂ）の中心線で切断した側面断面図
【図１２】同じく第二清掃部の構成を示す拡大平面断面図
【図１３】同じく第六集塵ダクトとしての吸引ノズルの破断図
【図１４】本発明の別の実施形態を示す集塵フィルタ装置の斜視図で、吸引ノズルの先端部を集塵フィルタ装置に接続した状態を示す
【符号の説明】
【００８２】
１…分包装置、２…回転テーブル、４…回転板、５…環状凹溝、５ａ…溝底面、６…散薬、７…フィーダ、８…切出部、９…ホッパー、１０…シール装置、１１…集塵フィルタ装置、１２…切替弁装置、１３…ファン吸引経路、１４…掃除機吸引経路、１６…溝部、１７…溝部材、１８…溝底板、２５…駆動装置、２６…第一清掃部、２７…第二清掃部、２８…切替機構、２９…第三清掃部、３０…第四清掃部、３１…第五清掃部、３２…第六清掃部、３３…第一集塵ダクト、３４…第二集塵ダクト、３５…第三集塵ダクト、３６…第四集塵ダクト、３７…第五集塵ダクト、３８…第六集塵ダクト、３９…分包装置本体、４２…切替弁装置本体、４３…開口部、４５，４６，４７，４８…掃除機経路継手、５７…弁体、５８，５９…吸込口部、６０…取付フランジ、６１…支持具、６２…切替モータ、６３…中空穴、６４…継手、６５…真空掃除機、８０…捕獲フィルタ、８１…装着体、８２…ケース、９８…切出板、１００…吸引機本体、１０１…ガイド部材、１０２…蓋部、１０３…収納部、１０４…弾性片、１０５…操作片、１０６…フレーム部材、１０７…段付面、１０８…集塵空間、１０９，１１１…ファン経路継手、１１３…ファン式吸引機、１１４…ファン、１１５…ファンモータ、１１６…ファン内装部、１１７…排気ダクト部、１３１…被覆体、１３５…突出板部、１３６…合流管継手、１３７，１３８…接続口部、１４０，１４１…後第四集塵ダクト、１４２…前第四集塵ダクト、１４３…吸引ノズル、１４５…ノズル本体、１４７…吸込口端面、１４８…嵌合部、１４９…内面、１５０ａ，１５０ｂ…突合面、Ｈ１〜Ｈ６…接続ホース
【図１】
0005175510.tif 000002
【図２】
0005175510.tif 000003
【図３】
0005175510.tif 000004
【図４】
0005175510.tif 000005
【図５】
0005175510.tif 000006
【図６】
0005175510.tif 000007
【図７】
0005175510.tif 000008
【図８】
0005175510.tif 000009
【図９】
0005175510.tif 000010
【図１０】
0005175510.tif 000011
【図１１】
0005175510.tif 000012
【図１２】
0005175510.tif 000013
【図１３】
0005175510.tif 000014
【図１４】
0005175510.tif 000015